(57)【要約】  【課題】  出隅部の強度を確保しつつ外観品質の向上と、施工作業の簡素化とコストの低減化を図り得る建物の出隅部構造を提供する。  【解決手段】  床面側にほぼ９０°の角度位置で配置されたほぼコ字形状の一対のランナーに、横断面ほぼ矩形状の２本の縦柱３，４をほぼ対角線上に近接配置すると共に、該両縦柱の間の外側に形成された横断面ほぼ三角形状の隙間Ｃ内に、外端部５ｂの外面が円弧状に形成された合成樹脂製のコーナー用縦柱５を嵌合状態に立設した。また、該コーナー用縦柱の両端部に一体に設けられた各突出部９，１０を、前記各縦柱の室内側一側面に嵌合すると共に、複数の皿ビス１１，１２によって各縦柱に結合固定した。  【選択図】  図２
2007063852.tif 000002
【特許請求の範囲】
【請求項１】
横断面ほぼ矩形状の少なくとも２本の縦柱をほぼ対角線上に近接配置すると共に、該両縦柱の間の外側に形成された横断面ほぼ三角形状の隙間内に、外面が円弧状に形成されたコーナー用縦柱を嵌合状態に立設固定したことを特徴とする建物の出隅部構造。
【請求項２】
横断面ほぼ矩形状の少なくとも２本の横柱をほぼ対角線上に近接配置すると共に、該両横柱の間の外側に形成された横断面ほぼ三角形状の隙間内に、外面がほぼ円弧状に形成されたコーナー用横柱を嵌合状態に横設固定したことを特徴とする建物の出隅部構造。
【請求項３】
前記コーナー用縦柱とコーナー用横柱をそれぞれ硬質な合成樹脂材によって形成したことを特徴とする請求項１及び２に記載の建物の出隅部構造。
【請求項４】
前記各縦柱の外面に沿って下地材を設けると共に、前記コーナー用縦柱の両側に、前記下地材の端末と突き合わせて、表面が前記各下地材の表面と連続する突出部を設けたことを特徴とする請求項１に記載の建物の出隅部構造。
【請求項５】
前記各横柱の外面に沿って下地材を設けると共に、前記コーナー用横柱の上下側に、前記下地材の端末と突き合わせて、表面が前記各下地材の表面と連続する突出部を設けたことを特徴とする請求項２に記載の建物の出隅部構造。
【請求項６】
前記各縦柱とコーナー用縦柱を、固定手段によって結合したことを特徴とする請求項１に記載の建物の出隅部構造。
【請求項７】
前記各横柱とコーナー用横柱を、固定手段によって結合したことを特徴とする請求項２に記載の建物の出隅部構造。
【請求項８】
出隅部のコーナー部を構成する柱を、ほぼＬ字形状に折曲形成された主柱部と、該主柱部の外端側に一体に設けられて、外面がコーナーに沿ってほぼ円弧状に形成されたほぼ扇状の円弧柱部とによって構成し、前記主柱部の横断面ほぼコ字形状の各端部を、それぞれ上下のランナーに嵌合固定したことを特徴とする建物の出隅部構造。
【請求項９】
室内の天井面や内壁面にほぼ矩形状に堀り込まれた堀壁の開口部を構成する堀壁構造であって、
前記開口部の周囲を構成する横断面ほぼ矩形状の少なくとも２本の横梁部材を、ほぼ対角線上に近接配置すると共に、該両横梁部材の間の外側に形成された横断面ほぼ三角形上の隙間内に、外面がほぼ円弧状に形成されたコーナー用横梁部材を嵌合固定したことを特徴とする室内の堀壁構造。
【発明の詳細な説明】
【技術分野】
【０００１】
本発明は、例えば住宅などの建物の複数の縦柱などによって室内側に形成される出隅部構造および堀壁構造の改良に関する。
【背景技術】
【０００２】
周知のように、住宅などの建物の室内の４隅などは、縦柱と内装材によって内方へ突出した出隅部（コーナー部）が形成されており、この出隅部の従来の構造としては、例えば以下の特許文献１などに記載されているものがある。
【０００３】
概略を説明すれば、この従来の出隅部構造は、縦柱がリップ山形鋼と、該リップ山形鋼の直交する２つの面に接するように設けられた２本のリップ溝形鋼とから構成されており、前記リップ山形鋼の内部には隙間断熱材が、リップ山形鋼の内部の空間を充填するように設けられている。
【０００４】
また、この出隅部の内側には、枠体に支持された防湿シートがほぼ直交状態に配置されていると共に、この互いに直交して対向する枠体の間に断面四角形の補助柱が配置されている。したがって、前記出隅部は、その横断面形状がほぼ直角状に形成されている。
【特許文献１】特開２００１−４９７６３号公報（図１）
【発明の開示】
【発明が解決しようとする課題】
【０００５】
従来における建物の縦柱や補助柱及び断熱材などによって出隅部構造は、前述のように横断面形状がほぼ直角状に形成されている。
【０００６】
このように、出隅部が直角状になっていると、例えば身障者や老人、子供などが室内を歩行中に出隅部の直角な先端縁に接触し易く、また例えば室内を掃除するときに掃除機のＴ字状先端部が出隅部の直角な先端縁に当たって掃除がしにくくなったり、場合によっては掃除機の先端部が破損してしまうおそれがある。
【０００７】
また、出隅部の直角な先端縁によって室内スペースが制約されたり、外観上も硬い感じを受けて品質の低下を招く、といった種々の課題がある。
【０００８】
そこで、前記出隅部を円弧状に形成することも考えられているが、この施工方法の一つとしては、例えば下地材としてのボードにアールを付けて円弧状に形成する方法や、複数のランナーの組み合わせによって円弧状に形成する方法などがある。
【０００９】
しかし、ボードにアールを付けて円弧状に形成する方法は、円弧用の特別なボードが必要になるため、コストの高騰が余儀なくされてしまう。
【００１０】
また、複数のランナーを組み合わせて円弧状に形成する方法では、その都度各ランナーの位置決めが必要になることから、施工作業が煩雑になって、この点でコストが高くなってしまう。
【００１１】
本発明は、前記従来の出隅部構造の技術的課題に鑑みて案出されたもので、汎用性のあるコーナー用縦柱を利用して各縦柱などとの組み合わせにより、施工精度や加工作業能率の向上が図れると共に、コストの低減化が図ることのできる出隅部構造を提供することを目的としている。
【課題を解決するための手段】
【００１２】
請求項１に記載の発明は、横断面ほぼ矩形状の少なくとも２本の縦柱をほぼ対角線上に近接配置すると共に、該両縦柱の間の外側に形成された横断面ほぼ三角形状の隙間内に、外面が円弧状に形成されたコーナー用縦柱を嵌合状態に立設固定したことを特徴としている。
【００１３】
請求項２に記載の発明は、いわゆる下り壁に適用したもので、横断面ほぼ矩形状の少なくとも２本の横柱をほぼ対角線上に近接配置すると共に、該両横柱の間の外側に形成された横断面ほぼ三角形状の隙間内に、外面がほぼ円弧状に形成されたコーナー用横柱を嵌合状態に横設固定したことを特徴としている。
【００１４】
請求項３に記載の発明は、前記コーナー用縦柱とコーナー用横柱をそれぞれ硬質な合成樹脂材によって形成したことを特徴としている。
【００１５】
請求項４に記載の発明は、前記各縦柱の外面に沿って下地材を設けると共に、前記コーナー用縦柱の両側に、前記下地材の端末と突き合わせて、表面が前記各下地材の表面と連続する突出部を設けたことを特徴としている。
【００１６】
請求項５に記載の発明は、前記各横柱の外面に沿って下地材を設けると共に、前記コーナー用横柱の上下側に、前記下地材の端末と突き合わせて、表面が前記各下地材の表面と連続する突出部を設けたことを特徴としている。
【００１７】
請求項６に記載の発明は、前記各縦柱とコーナー用縦柱を、固定手段によって結合したことを特徴としている。
【００１８】
請求項７に記載の発明は、前記各横柱とコーナー用横柱を、固定手段によって結合したことを特徴としている。
【００１９】
請求項８に記載の発明は、出隅部のコーナー部を構成する柱を、ほぼＬ字形状に折曲形成された主柱部と、該主柱部の外端側に一体に設けられて、外面がコーナーに沿ってほぼ円弧状に形成されたほぼ扇状の円弧柱とによって構成し、前記主柱部の横断面ほぼコ字形状の各端部を、それぞれ上下のランナーに嵌合固定したことを特徴としている。
【００２０】
請求項９に記載の発明は、室内の天井面や内壁面にほぼ矩形状に堀り込まれた堀壁の開口部を構成する堀壁構造であって、前記開口部の周囲を構成する横断面ほぼ矩形状の少なくとも２本の横梁部材を、ほぼ対角線上に近接配置すると共に、該両横梁部材の間の外側に形成された横断面ほぼ三角形上の隙間内に、外面がほぼ円弧状に形成されたコーナー用横梁部材を嵌合固定したことを特徴としている。
【発明の効果】
【００２１】
請求項１に記載の発明によれば、２本の縦柱の間に、コーナー用縦柱を嵌合固定することによって、出隅部に円弧状のコーナー部を形成できることは勿論のこと、少なくとも３本の縦柱によって出隅部を構成するため、該出隅部の強度が十分に確保される。
【００２２】
しかも、単に各縦柱を組み合わせるだけであるから、施工作業が簡単であるとと共に、コーナー用縦柱を予め規格にあった汎用性のあるものを使用することによって、コストの高騰を十分に抑制することができる。
【００２３】
また、出隅部のコーナー部を円弧状に形成したことによって、居住空間の広がりや柔らかさなど、快適な居住空間が得られると共に、身障者などの歩行中の安全性も高めることができる。
【００２４】
請求項２に記載の発明によれば、請求項１と同様の作用効果が得られる。
【００２５】
請求項３に記載の発明によれば、コーナー用縦柱とコーナー用横柱をそれぞれ例えば押出成形によって連続的に成形することができるので、その成形作業能率の向上が図れると共に、材料の点でもコストの低減化が図れる。
【００２６】
請求項４に記載の発明によれば、各突出部の肉厚を、規格品の各ボードの肉厚とほぼ同じ大きさに設定しておけば、コーナー用縦柱との円弧状外面と各ボードの外面が滑らかに連続した外面になることから、その後、各外面に施されるビニールクロスなどの内装材の仕上がり性が向上する。
【００２７】
請求項５に記載の発明も、請求項４に記載の発明と同様な作用効果が得られる。
【００２８】
請求項６及び請求項７に記載の発明によれば、固定手段によって各縦柱とコーナー用縦柱並びに各横柱とコーナー用横柱との結合剛性が高くなることから、各出隅部の強度がさらに向上する。
【００２９】
請求項８に記載の発明によれば、請求項１及び２に記載の発明と同じく、円弧柱部の円弧状外面によって出隅部に円弧状のコーナー部を形成できることは勿論のこと、出隅部の柱を、一体に形成された主柱部と円弧柱部によって構成したことにより、該出隅部の強度が十分に確保される。
【００３０】
また、主柱部の各端部をランナーに嵌合固定したことにより、出隅部全体の強度が一層向上する。
【００３１】
しかも、主柱部と円弧柱部を一体に形成したことから、施工作業が簡単であり、また、コーナー用縦柱を予め規格にあった汎用性のあるものを使用することによって、コストの高騰を十分に抑制することができる。
【００３２】
請求項９に記載の発明によれば、例えば、室内の壁や天井面に間接照明用のほぼ四角形状の堀壁を形成する際に、この堀壁の開口部を、２本の横梁部材の間に、コーナー用横梁部材を嵌合固定することによって構成し、該コーナー用横梁部材によって堀壁の開口部のコーナー部を円弧面に形成できるため、該堀壁の開口部付近の強度が十分に確保されることは勿論のこと、直角面に比べて室内の雰囲気が柔らかくなって、外観品質の向上が図れる。
【００３３】
しかも、単に各横梁部材を組み合わせるだけであるから、施工作業が簡単であるとと共に、コーナー用横梁部材を予め規格にあった汎用性のあるものを使用することによって、コストの高騰を十分に抑制することができる。
【発明を実施するための最良の形態】
【００３４】
以下、本発明に係る建物の出隅部構造の実施形態を図面に基づいて詳述する。
【００３５】
図１は請求項１の発明に対応する第１の実施形態における出隅部構造を示し、例えば通常の家屋の縦柱側に適用したものである。
【００３６】
すなわち、この出隅部構造は、図１〜図３に示すように、例えば室内を隔成する四隅の床側と天井側に直交状態に配置された長尺な直線状のランナー１，２と、該各ランナー１，２の突き合わせ対向端部にそれぞれ立設された２本の縦柱３、４と、該両縦柱３，４間の室内側に配置固定されたコーナー用縦柱５と、前記縦柱３，４間の室外側の入隅に配置固定された横断面ほぼＬ字形状の入隅コーナー用縦柱６とを備えている。
【００３７】
前記各ランナー１，２は、図３に示すように、薄肉な金属板をプレスによってほぼコ字形状に折曲形成されて上端側に開口形成されていると共に、その幅Ｗが約４５ｍｍに設定されている。また、該各ランナー１，２は、四隅間に渡って直線状に配設され、その対向端部１ａ、２ａがほぼ９０°の角度で互いの端縁が突き合わされた状態に配置されていると共に、それぞれが複数のコンクリートビス５０によってコンクリート床面に固定されている。
【００３８】
前記各縦柱３，４は、薄肉な金属板を横断面ほぼ長方形に折曲して形成され、一辺の長さ（幅長さ）が約４５ｍｍよりも僅かに小さく設定されて、上下方向に直線状に延設されていると共に、各下端部が前記各ランナー１，２の内部に上方からほぼ垂直に嵌入配置されている。また、各縦柱３，４は、出隅部の位置に対角線状に近接配置されて、対向する各１つの角縁が互いに接触するように配置形成されている。したがって、この両縦柱３，４の内側（室内側）には、ほぼ三角形状の隙間Ｃが形成されている。
【００３９】
また、前記各ランナー１，２の室内側外面には、それぞれ下地材である石膏ボード７，８が配置固定されている。この石膏ボード７，８は、対向端部７ａ、８ａが各縦柱３，４の室内側の一側面のほぼ中央部に位置して、内面が前記各一側面と各ランナー１，２の外側面にそれぞれ当接していると共に、その肉厚Ｗ１が一般的な仕様である約１２．５ｍｍに設定されている。
【００４０】
前記コーナー用縦柱５は、例えば押出成形機により連続的に一体に成形された硬質の合成樹脂材によって長尺に形成されていると共に、横断面形状がほぼ扇状に形成されて、要側の基部５ａが前記隙間Ｃ内に嵌合状態保持されている。また、この基部５ａから室内側に位置する外端部５ｂが、前記各縦柱３，４の一側面よりも前記石膏ボード７，８のほぼ肉厚Ｗ１分だけ室内側へ突出形成されていると共に、この外端部５ｂの両側部には、矩形板状の突出部９，１０が一体に設けられている。
【００４１】
この各突出部９，１０は、コーナー用縦柱５の一部として構成されて上下方向へ延設されていると共に、その肉厚Ｗ１が前記各石膏ボード７，８の肉厚Ｗ１とほぼ同一に設定されており、各外端面が各石膏ボード７，８の対向端部７ａ、８ａの各端面に当接配置されている。
【００４２】
そして、前記外端部５ｂは、前記各突出部９，１０に基端縁までの外面５ｃが円弧状に形成されており、この外面５ｃの曲率半径ｒは、前記各石膏ボード７，８の各外面７ｂ、８ｂから各突出９，１０の外面を介して連続的な曲面となるように、各石膏ボード７，８の肉厚Ｗ１との関係で求められ、本実施形態では約５７．５ｍｍに設定されている。
【００４３】
また、前記コーナー用縦柱５は、前記各突出部９，１０に外方から水平にねじ込まれた固定手段である複数の皿ビス１１，１２と、該縦柱３，４の他の縦柱１３，１４側の各外面からねじ込まれた長尺な複数の皿ビス５１、５２によって各縦柱３，４に強固に結合されている。
【００４４】
なお、前記石膏ボード７，８は、前記ビス１１、１２と平行にねじ込まれた他のビス５３，５４によって各縦柱３，４に結合されている。
【００４５】
前記入隅コーナー用縦柱６は、コーナー用縦柱５と同じく押出成形によって硬質の合成樹脂材によりほぼＬ字形状に一体に形成されて、三角状の頂部が各縦柱３，４の各室内側の外側面間に形成されたほぼ三角形状の隙間Ｃ１に嵌合保持されていると共に、両端部６ａ、６ｂが前記各縦柱３，５に対して一柱分だけ隙間をもって配置された他の縦柱１３，１４の外側面のほぼ中央位置まで延設されている。
【００４６】
また、入隅コーナー用縦柱６は、肉厚が各端部６ａ、６ｂの端面に突き合わされた同じく下地材である石膏ボード１５，１５の肉厚Ｗ２と同じ厚さに設定されていると共に、各端部６ａ、６ｂの外側からねじ込まれた複数の皿ビス１６，１７によって他の縦柱１３，１４に結合されている。
【００４７】
なお、この入隅コーナー用縦柱６は、入隅の割れや揺れ建付のズレ予防の補強材としても兼ねており、また、その頂部の外側面を図２の二点鎖線で示すように、円弧状に形成することも可能であり、このようにすれば、入隅コーナー用縦柱６の強度が向上する。
【００４８】
したがって、この出隅部構造によれば、２本の縦柱３，４の間にコーナー用縦柱５を嵌合固定することによって、出隅部に円弧状のコーナー部を形成できることは勿論のこと、少なくとも３本の縦柱３，４、５によって出隅部を構成するため、該出隅部の強度を十分に確保することが可能になる。
【００４９】
しかも、単に各縦柱３〜５を組み合わせるだけであるから、施工作業が簡単であるとと共に、コーナー用縦柱５を予め規格にあった汎用性のあるものを使用することによって、コストの高騰を十分に抑制することができる。
【００５０】
また、各突出部９，１０を設けることによって、コーナー用縦柱５の強度がさらに向上すると共に、該各突出部９，１０の肉厚を、規格品の各石膏ボード７，８の肉厚とほぼ同じ大きさに設定しておけば、コーナー用縦柱５との円弧状外面と各石膏ボード７，８の外面が滑らかに連続した外面になることから、その後、各外面に施されるビニールクロスなどの内装材の仕上がり性を向上させることができる。
【００５１】
特に、各突出部９，１０は、各縦柱３，４に跨った形で該各縦柱３，４に嵌合しているから、施工時におけるコーナー用縦柱５の正確な位置決めを行うことができると共に、各縦柱３，４との密着性が向上して全体の強度を向上させることができる。
【００５２】
また、コーナー用縦柱５を各縦柱３，４に対して各皿ビス１１，１２によって結合したことから、該各縦柱３〜５の結合剛性が高くなり、これによって、出隅部の強度をさらに向上させることが可能になる。
【００５３】
さらには、前記コーナー用縦柱５の他に、入隅コーナー用縦柱６を設けると共に、この入隅コーナー用縦柱６も同じく他の縦柱１３，１４に対して皿ビス１６，１７によって結合されていることから、各縦柱３，４、１３，１４と共同して出隅部全体の強度をさらに高くすることができる。
【００５４】
さらに、前記コーナー用縦柱５や入隅コーナー用縦柱６を、押出成形によって連続的に成形したため、その成形作業能率の向上が図れると共に、材料の点でもコストの低減化が図れる。
【００５５】
図４及び図５は第２の実施形態を示し、コーナー用縦柱５を、前記縦柱３，４と同じくスチールなどの金属板材をプレス成形によって形成したものであって、その横断面形状が前記三角形状の隙間Ｃに合わせて内部中空状のほぼ扇状に形成され、外面５ｃが前述と同じ曲率半径の円弧状に形成されている。
【００５６】
また、この実施形態では、突出部９，１０が廃止されて、その分、各石膏ボード７，８の端部７ａ、８ａがコーナー用縦柱５の外端部５ｂの両側面まで延出されている。
【００５７】
さらに、前記縦柱３，４とコーナー用縦柱５とは、長尺な複数の皿ビス５５、５６によって結合されていると共に、各縦柱３，４と石膏ボード７，８とは短尺な皿ビス５３，５４によって強固に結合されている。他の構成は前記第１の実施形態と同様である。
【００５８】
したがって、この実施形態によれば、第１の実施形態と同様な作用効果が得られると共に、各縦柱３〜５を金属板材によりプレス成形によって形成したため、その成形作業が容易であると共に、それぞれをビス５５，５６によって結合したため、結合剛性が高くなり、各縦柱３〜５全体の強度が向上する。
【００５９】
また、コーナー用縦柱５は、内部中空状に形成されていることから軽量化が図れる。また、コーナー用縦柱５は、汎用材料を用いることができると共に、在来施工法によって施工できるので、低コストや施工作業が容易になる。
【００６０】
図６は請求項２に記載した発明に対応する実施形態を示し、この実施形態では出隅部構造を下り壁に適用したもので、基本構造は先の第１の実施形態における縦柱に適用したものとほぼ同様である。
【００６１】
すなわち、この出隅部構造は、例えば室内の上方位置に直交状態に配置された長尺な直線状のランナー２１，２２と、該各ランナー２１，２２の突き合わせ対向端部にそれぞれ立設された２本の横柱２３、２４と、該両縦柱２３，２４間の室内側に配置固定されたコーナー用縦柱２５とを備えている。
【００６２】
前記各ランナー２１，２２は、薄肉な金属板をプレスによってほぼコ字形状に折曲形成されて側方に開口形成されていると共に、その幅長さＷが約４５ｍｍに設定されている。また、該各ランナー２１，２２は、四隅間に渡って直線状に配設され、その対向端部２１ａ、２２ａがほぼ９０°の角度で互いの端縁が突き合わされた状態に配置されている。
【００６３】
前記各横柱２３，２４は、薄肉な金属板を横断面ほぼ正方形状に折曲して形成され、一辺の長さが約４５ｍｍよりも僅かに小さく設定されて、水平方向へ直線状に延設されていると共に、各一端部が前記各ランナー２１，２２の内部に側方からほぼ水平に嵌入配置されている。また、各横柱２３，２４は、出隅部の位置に対角線状に近接配置されて、対向する各１つの角縁が互いに接触するように配置形成されている。したがって、この両横柱２３，２４の内側（室内側）には、ほぼ三角形状の隙間Ｃが形成されている。
【００６４】
また、前記各ランナー２１，２２の室内側外面には、それぞれ下地材である石膏ボード２７，２８が配置固定されている。この石膏ボード２７，２８は、一端部２７ａ、２８ａが各横柱２３，２４の室内側の一側面２３ａ、２４ａのほぼ中央部に位置して、内面が前記各一側面２３ａ、２４ａと各ランナー２１，２２の外側面にそれぞれ当接していると共に、その肉厚Ｗが一般的な仕様である約１２．５ｍｍに設定されている。
【００６５】
前記コーナー用横柱２５は、例えば押出成形機により連続的に一体に成形された硬質の合成樹脂材によって長尺に形成されていると共に、横断面形状がほぼ扇状に形成されて、要側の基部２５ａが前記隙間Ｃ内に嵌合状態保持されている。また、この基部２５ａから室内側に位置する外端部２５ｂが、前記各横柱２３，２４の一側面２３ａ、２４ａよりも前記石膏ボード２７，２８のほぼ肉厚Ｗ分だけ室内側へ突出形成されていると共に、この外端部２５ｂの両側部には、矩形板状の突出部２９，３０が一体に設けられている。
【００６６】
この各突出部２９，３０は、コーナー用横柱２５の一部として構成されて上下方向へ延設されていると共に、その肉厚Ｗ１が前記各石膏ボード２７，２８の肉厚Ｗほぼ同一に設定されており、各外端面が各石膏ボード２７，２８の対向端面に当接配置されている。
【００６７】
そして、前記外端部２５ａは、前記各突出部２９，３０に基端縁までの外面２５ｃが円弧状に形成されており、この外面２５ｃの曲率半径ｒは、前記各石膏ボード２６，２７の各外面２６ｂ、２７ｂから各突出２８，２９の外面を介して連続的な曲面となるように、各石膏ボード２６，２７の肉厚Ｗとの関係で求められ、本実施形態では約５７．５ｍｍに設定されている。
【００６８】
また、前記コーナー用横柱２５は、前記各突出部２８，２９に外方から水平にねじ込まれた固定手段である複数の皿ビス３１，３２と、各横柱２３，２４の外面からほぼ直角方向へねじ込まれた長尺な複数の皿ビス５７，５８によって前記各横柱２３，２４に強固に結合されている。
【００６９】
また、前記各石膏ボード２７，２８は、前記皿ビス３１，３２に平行にねじ込まれた皿ビス５９，６０によって各横柱２３，２４に結合されている。
【００７０】
なお、各縦柱２３，２４の側方には、前述と同じく他の縦柱３３，３４が配置されている。
【００７１】
したがって、この実施形態も入隅コーナー用縦柱の作用効果以外は、先の実施形態と同様に出隅部の十分な強度が確保されると共に、コストの低減化が図れるなどの作用効果が得られ、さらには、コーナー部の円弧面によって居住空間の柔らかさや広がりなどの環境空間の大きな変化が得られ、外観品質の向上が図れる。
【００７２】
図７は請求項８に記載された発明に対応した実施形態を示し、請求項１記載された出隅部に用いられるコーナー用縦柱４０の構造を変更したものである。
【００７３】
すなわち、この出隅部構造は、横断面ほぼコ字形状の金属材のランナー１，２や横断面ほぼＬ字形状の入隅コーナー用縦柱６などの構造及び配置構成は第１の実施形態などと同じであるが、前記各ランナー１，２の突き合わせ対向端部に立設されたコーナー用縦柱４０は、金属板材をプレス成形によって一体に異形状に折曲形成されたものであって、ほぼＬ字形状に折曲形成された主柱部４１と、該主柱部４１の外端側に一体に設けられたほぼ扇状の円弧柱部４２とによって構成されている。
【００７４】
各縦柱１３、１４は、横断面ほぼ長方形状に形成されて、直角方向から対向する対向端面が前記主柱部４１の後述する両端部４１ａ、４１ｂの外端面にそれぞれ当接している。
【００７５】
前記主柱部４１は、直角に位置する両端部４１ａ、４１ｂが横断面ほぼコ字形状に形成されていると共に、この各端部４１ａ、４１ｂがそれぞれ前記ランナー１，２の対向端部内に嵌合固定されている。
【００７６】
また、前記各縦柱１３，１４とコーナー用縦柱４０とは、各縦柱１３，１４の外端面側から主柱部４１の両端部４１ａ、４１ｂ内に螺入した長尺な皿ビス６１，６２によって結合されている。
【００７７】
一方、前記扇状の円弧柱部４２は、主柱部４１から各ランナー１，２の肉厚分及び石膏ボード７，８のほぼ肉厚Ｗ分だけ室内側へ突出形成されていると共に、外面４２ａがコーナーに沿ってほぼ円弧状に形成されていると共に、両端部４２ａ、４２ｂがほぼＶ字形状に折曲形成されて、それぞれの端縁が前記主柱部４１の各外端縁に連続して結合されている。
【００７８】
また、前記外面４２ａの曲率半径ｒは、各石膏ボード７，８の各外面６ｂ、７ｂと連続的な曲面となるように、各石膏ボード７，８の肉厚Ｗ１との関係で求められ、本実施形態でも約５７．５ｍｍに設定されている。
【００７９】
前記石膏ボード７，８は、各対向端部７ａ、８ａが前記主柱部４１の各端部４１ａ、４１ｂの室内側の一側面３ａ、４ａのほぼ中央部に位置して、各端面が前記円弧柱部４２の各端部４２ａ、４２ｂに対して一定の隙間Ｓ，Ｓを介して対峙している（目透かし工法）。
【００８０】
前記入隅コーナー用縦柱６は、第１の実施形態と同じ構造であって、硬質の合成樹脂材によりほぼＬ字形状に一体に形成されて、三角状の頂部が主柱４１各端部の外側面間に形成されたほぼ三角形状の隙間Ｃ１に嵌合保持されていると共に、両端部６ａ、６ｂが他の縦柱１３，１４に皿ビス１６、１７によって結合されている。なお、この入隅コーナー用縦柱６の材料としては、他に金属材や木材その他の材料を用いることも可能である。
【００８１】
前記各石膏ボード７，８は、コーナー用縦柱４０に皿ビス５３、５４によって結合されている一方、入隅コーナー用縦柱６側の石膏ボード１５，１５は、各縦柱１３，１４に短尺な皿ビス６３，６４によって結合されている。
【００８２】
したがって、この実施形態によれば、前記先の各実施形態と同様に、円弧柱部４２の円弧状外面４２ａによって出隅部に円弧状のコーナー部を形成できることは勿論のこと、出隅部の縦柱４０を、一体の主柱部４１と円弧柱部４２によって構成したことにより、該出隅部の強度が十分に確保される。
【００８３】
また、主柱部４１の各端部４１ａ、４１ｂを各ランナー１，２に嵌合固定したことにより、出隅部全体の強度が一層向上する。
【００８４】
しかも、主柱部４１と円弧柱部４２を一体に形成したことから、施工作業が簡単であるとと共に、コーナー用縦柱を予め規格にあった汎用性のあるものを使用することによって、コストの高騰を十分に抑制することができる。また、縦柱４０は、内部中空状に形成されていることから、軽量化が図れ、運搬作業や施工作業がさらに容易になる。
【００８５】
また、前記円弧柱部４２の外面４２ａに、二点鎖線で示すように、塩化ビニル製のカバー部材４３を嵌着固定することも可能であり、これによって、この外面にビニールクロスを張り付ける場合に強固な結合を得ることができる。
【００８６】
なお、前記各石膏ボード７、８の各端部７ａ、８ａを、円弧柱部４２の両端部４２ａ、４２ｂとすることも可能である。
【００８７】
また、この実施形態における出隅部構造を、図６に示した下がり壁に適用することも可能である。
【００８８】
図８と図９は請求項９に記載された室内の堀壁構造の発明の一実施形態を示し、この実施形態では天井面に形成された間接照明用の堀壁を構成する枠体７０に適用したものである。
【００８９】
すなわち、前記枠体７０は、ほぼ正方形の矩形枠状に形成されて、天井面の堀天凹部内に固定される矩形状の内壁部７１と、該内壁部７１の外周面上部から外方へ突設されて、図外の照明器具を保持する台座部７２と、該台座部７２の下部内側に互いにほぼ対角線上に近接配置された横断面ほぼ矩形状の２本の横梁部材７４，７５と、該両横梁部材７４，７５の間の外側に形成された横断面ほぼ三角形上の隙間Ｃ内に嵌合固定されて、外面７６ｃがほぼ円弧状に形成されたコーナー用横梁部材７６と、該コーナー用横梁部材７６の下部に連続してほぼ水平に延びる外壁部７７とから主として構成され、前記両横梁部材７４，７５とコーナー用横梁部材７６によって、枠体７０の開口部７３の周囲を構成するようになっている。
【００９０】
前記内壁部７１は、所定幅を有する例えば石膏ボードによって構成されて、天井凹部の深さに応じた所定の高さに設定されている。
【００９１】
前記台座部７２は、金属板材をプレス成形によって横断面ほぼ横コ字形状に形成されて、内側の小幅の基端部７２ａが前記本体７１に当接配置されていると共に、中央の平坦な台座面７２ｂに電球などの照明器具が取付られるようになっている。また、台座面７２ｂの外端側の縦片部７２ｃには、それぞれの長手方向のほぼ中央に４つの細長い突起片７２ｄが一体に設けられ、該各突起片７２ｄを介して枠体７０全体が天井凹部内に支持されている。
【００９２】
前記各横梁部材７４，７５は、図６に示す実施形態と同様に、それぞれが薄肉な金属板を横断面ほぼ正方形状に折曲して形成され、四角枠状に配置されていると共に、対角線状で対向する角縁が当接している。
【００９３】
前記コーナー用横梁部材７６は、合成樹脂材によって一体に形成され、図８に示すように、前記各横梁部材７４，７５の矩形状に沿って矩形枠状に連続して形成されていると共に、横断面ほぼ扇状に形成されている。また、要部側の基部７６ａが前記三角形状の隙間Ｃ内に嵌合状態に配置されていると共に、外端部７６ｂの外面７６ｃが滑らかな円弧状に形成されており、この外面７６ｃは、四隅部Ｓ側も連続した円弧面に形成されている。
【００９４】
前記外端部７６ｂの両端側には、前記内壁部７１と外壁部７７側へ延出した突出部７８、７９が一体に設けられており、該各突出部７８，７９の外端面が、前記内壁部７１と外壁部７７の対向端部７１ａ、７７ａの各端面に当接している。
【００９５】
前記外壁部７７は、内壁部７１同じく石膏ボードによって形成されて、ほぼ水平に延設されて所定の延出長さに設定されている。
【００９６】
また、前記各横梁部材７４，７５とコーナー用横梁部材７６とは、複数の長尺な皿ビス８０、８１によって結合されていると共に、前記コーナー用横梁部材７６の各突出部７８，７９も複数の短尺な皿ビス８２，８３によって各横梁部材７４，７５に結合されている。
【００９７】
さらに、前記内壁部７１と一方の横梁部材７５並びに外壁部７７と他方の横梁部材７４もそれぞれ短尺な皿ビス８４，８５によって結合されている。また、内壁部７１と台座部７２は、短尺な皿ビス８６によって結合されている。
【００９８】
したがって、この実施形態では、各横梁部材７４，７５とコーナー用横梁部材７６との相互の強固な嵌合固定によって構造の強度が向上することは勿論のこと、コーナー用横梁部材７６の円弧状の外面７６ｃによって天井空間が柔らかな雰囲気になり、良好な居住空間が得られる。
【００９９】
請求項１や２に記載した発明は、前記各実施形態の構成に限定されるものではなく、各石膏ボード７，８の肉厚を変更して、別規格である例えば９．５ｍｍのものに変更することも可能であり、このようにした場合は、コーナー用縦柱５の外端部５ｂの突出量や各突出部９，１０の肉厚を同じく９．５ｍｍに設定する。これによって、連続した滑らかな外面を形成することが可能になる。
【０１００】
また、前記各コーナー用縦柱５や入隅コーナー用縦柱６及びコーナー用横柱２５を、合成樹脂材や金属材以外の材質、例えば合成木材などで形成することも可能である。なお、前記金属材としては、スチール材の他、アルミニウム合金材などを用いることも可能である。
【０１０１】
また、請求項９に記載した発明も、前記図８、図９に記載した実施形態に限定されるものではなく、天井面以外の室内の内壁に堀壁を形成する場合にも適用することが可能である。
【図面の簡単な説明】
【０１０２】
【図１】請求項１の発明に係る出隅部構造の第１の実施形態を示す要部平面図である。
【図２】本実施形態を示す要部斜視図である。
【図３】本実施形態に供されるランナーと縦柱の一部を示す分解斜視図である。
【図４】出隅部構造の第２の実施形態を示す要部平面図である。
【図５】本実施形態を示す要部斜視図である。
【図６】請求項２の発明に係る出隅部構造の一実施形態を示す要部平面図である。
【図７】請求項８の発明に係る出隅部構造の一実施形態を示す要部平面図である。
【図８】請求項９の発明に係る室内の堀壁構造の実施形態を示す断面斜視図である。
【図９】図８のＡ−Ａ線断面図である。
【符号の説明】
【０１０３】
１・２…ランナー
３・４…縦柱
５…コーナー用縦柱
２１・２２…ランナー
２３・２４…コーナー用横柱
２５…コーナー用横柱
４０…縦柱
【図１】
2007063852.tif 000003
【図２】
2007063852.tif 000004
【図３】
2007063852.tif 000005
【図４】
2007063852.tif 000006
【図５】
2007063852.tif 000007
【図６】
2007063852.tif 000008
【図７】
2007063852.tif 000009
【図８】
2007063852.tif 000010
【図９】
2007063852.tif 000011